(57)【要約】【課題】  釣り用天秤において、魚が餌をくわえたとき瞬時に合わせを必要とするとき、初心者は難しいものである。また、置き竿において、魚が餌をくわえても針がかりがうまくいかないことが多い、これらを解決して釣揚げることのできる天秤を提供する。【解決手段】  軸部と弾力性の腕部を有した天秤において、軸部の上端と腕部の先端の間に伸縮性を持った、バネあるいは、ゴムを取付けて腕部の反発力を高める用に設けたものである。よって、魚に対して瞬時合わせをする釣り用天秤である。【選択図】        図１
2007105021.tif 000002
【特許請求の範囲】
【請求項１】
腕部と軸部を具えた天秤において、軸部上端のミチ糸側と腕部先端のハリス側の間に引きバネを取付け、腕部が弾力性の湾曲状を形成したことを特徴とする釣り用天秤。
【請求項２】
腕部と軸部の間にチューブを設けて、チューブ内に引きバネをとおしたことを特徴とする請求項１記載の釣り用天秤。
【請求項３】
引きバネをゴム製品にしたことを特徴とする請求項１記載の釣り用天秤。
【発明の詳細な説明】
【技術分野】
【０００１】  本発明は、軸部と腕部の間に伸縮性の材質を取付けた魚釣り用天秤に関する。
【背景技術】
【０００２】  従来、釣り用天秤（以下、天秤という）において、魚の食い付きに対して効果的な釣果を得られるように工夫する物がある。【０００３】  スプリング用の丸線ステンレスに圧延加工したい異形線を利用、握り部分に塩ビ質のスパイラルを通す。腕部は半円状に形成した天秤がある。（例えば特許文献１参照）
また、管状棒体から成る天秤本体よりも長い釣り糸を管状棒体に挿通させ軸部側の糸に道糸をつなぎ、腕部側の糸にハリスをつなぐ方式の中どうし天秤がある。（例えば特許文献２参照）【０００４】
【特許文献１】  実用新案登録第３０４７９７４号公報
【特許文献２】  実開平４−９４９７５号公報
【発明の開示】
【発明が解決しようとする課題】
【０００５】  しかしながら、従来、これらの天秤において下記のような問題がある。
特許文献１において、腕部よりハリスが取付けことによって、魚信に対して一定の反発力を有し、魚にたいして針がかりをするが腕部のみの反発力によるため、合わせがまずいと取り逃がすことが多いものである。
特許文献２において、ミチ糸とハリスが一体となり魚信にたいして、そく竿先にくることからされなりの効果はあるが、素早い合わせが要求されるもので置き竿においては通常の天秤と同様である。また、ミチ糸がたるみがあると魚に対して針がかりが悪いものである。【０００６】  そこで本発明は、上記の課題を鑑み、魚が餌に喰い掛かると、その動きに合わせて天秤の腕部の反動とバネの伸縮による敏速な合わせにより、魚を針にがかるようにできる天秤を提供するものである。
【課題を解決するための手段】
【０００７】  上記の課題を解決するため、本発明は腕部と軸部を具えた天秤において、腕部が弾力性にとんだ材質にして、軸部上端部のミチ糸側と腕部先端のハリス側の間に引きバネと糸を連結した一体を設けたることで、腕部は弓状にひなることで、腕部に結んだハリスに魚信がると弓状の腕部に設けた引きバネ伸びるが、その後一瞬にして腕部と引きバネの強い反発力によって瞬時にあわせることを特徴とする。【０００８】  また、腕部の先端と軸部の上端の間にチューブの内部に引きバネを通した一体を設けたことで、投げ釣りをするとミチ糸やハリスが天秤に絡んでも、引きバネには絡まないことで、容易に解くことを特徴とする。【０００９】  また、腕部と軸部の間に設けた引きバネの代わりにゴム製品にすることで軽量で、投げても、天秤一体に対して空気抵抗が小さいことで遠投釣りができる。また、ハリス等も絡み難くすることができる。さらに、引きゴムの交換も容易にできることを特徴とする。
【発明の効果】
【００１０】  本発明は、以上説明したように構成されているので、以下に記載されているような効果を奏する。【００１１】  請求項１記載の発明によれば、魚が餌に喰いつくと時に、腕部と引きバネによってその動きに素早いあわせができることで、針より外れることを防ぐと同時に針がかりの魚が激しく動いても外れることなく、二本目の針に魚を待つことができるものである。また、置き竿においても錘と腕部と引きバネによるバランスによって魚を容易に釣揚げることができる。【００１２】  請求項２記載の発明によれば、チューブを設けることで引きバネの部分にミチ糸やハリス等が絡み、取れにくくなることを防ぐものである。【００１３】  請求項３記載の発明によれば、引きバネを引きゴム類に変えることで絡みにくく、投げの時、空気の抵抗力が小さいことで、目的の場所に投下できる。また、天秤と錘のバランスを合わせるとき引きゴムの交換、引きゴムの切れたときの交換も容易にできるものである。
【発明を実施するための最良の形態】
【００１４】  本発明の実施の形態について図面を参照して説明する。
本発明の天秤を図１及び図２に示した第一実施例を説明する。軸部２を垂直にした時、軸部２の中間付近より弾力性の腕部１を具えた天秤であって、軸部２上端のリング６と腕部１先端のリング７の間に、引きバネ３と引きバネ３の一端に糸４を連接した一体を接続する。このとき、引きバネ３を軸部２上端のリング６に接続して、糸４の一方を腕部１リング７に接続することで図１に示したように腕部１は弓状に形成して、引きバネ３は伸縮することで総合的に強い伸縮の作用をする。
なお、リング６とリング７にスナップを設けることで、引きバネ３と糸４に接続することが容易であることから引きバネ３の交換が速やかにできる美濃である。
また、軸部２上端のヨリモドシ１０にミチ糸１３を、腕部１先端のリング７のヨリモドシ９にハリス１４を夫々連結ができ、軸部２下端のスナップ式リング８は錘１６を取付けることができる。【００１５】  以上の構成から作用について説明すると、釣竿よりのミチ糸１３を天秤のヨリモドシ１０に結びスナップ付ヨリモドシ８に錘１６を取付けて、ヨリモドシ９にハリス１４を取付、針１５は一般的に１本針から３本針程のを利用する。例として、天秤の全長が８ｃｍ〜１３ｃｍ程のとき錘１６は８号〜１５号程ので、針１５は６号〜１０号程のものを構成するこにより、主に海中のキス、カレイ、メゴチ、イシモチ等で、あるいは川の鮒とうを釣ろうとするものである。
以上の仕掛を海中に投げると、海底の砂地に到達することで天秤は錘１６を起点にして、魚が餌に食いつき、引きちぎるよう動作をすると、図２に示すようにＡ、Ａ、Ａの方向に引かれるがミチ糸１３の張りと錘１６の重力によって、天秤の弓状に形成した腕部１の弾力性と引きバネ３の総合の反発力により、Ｂ、Ｂ、Ｂの方向に引き戻す力が働くことで瞬時に針１５合わせすることができる。また、餌のみを食いちぎったときにおいても、魚がハリス１４を引くことで腕部１と引きバネ３の反発力によってハリス１４が急激に戻り、餌が踊ることで魚を誘うことによって、再び魚が食いつき針１５がかりをすることができるものである。【００１６】  さらに、ミチ糸１３が竿との間で多少の弛みが生じても、錘１６の重みによって弓状の腕部１と引きバネ３によって、自動合わせのようになり釣揚げることができる。
また、中層の魚を釣るときにおいても、天秤の軸部２と腕部１を大きくした場合、錘１６を重くしたり引きバネ３も天秤の腕部１とのバランスによって引きの強いものを利用することで、魚の食い付きに対してタイミングよく合わせることができるものである。【００１７】  また、本発明の第二実施の形態を図３を参照して説明する。透明チューブ１１に引きバネ３と糸４を通して、引きバネ３が抵抗無く伸縮できるようにした一体を軸部２のリング６と腕部１のリング７の間に取付ける。また、透明チューブ１１をチューブ止糸１８で移動しないように取付けて、全体を軽量に設ける。
なお、透明チューブ１１はビニール形、プラスチック形あるいは、カーボンやアルミの金属であっても可能である。【００１８】  よって、以上の構成から作用の説明すると、竿よりミチ糸１３を軸部２のリング６に，ハリス１４を腕部１先端のリング７に取付る。よって釣方法は前項の第一実施例と同様におこない、仕掛を海中に投げて海底の砂地に到達するまでの間、情況によってハリス１４などが天秤の様々な所に絡むことがある。このとき引きバネ３にも絡む、この絡みを外すことはかなりの手間が掛かるものとなるが、透明チューブ１１を設けたことで引きバネ３に絡むことがなくなり、絡みを解くことが容易にできるものである。【００１９】  また、本発明の第三実施の携帯を図４を参照して説明する。腕部１先端のリング７のスナップ１７に引きゴム５の一端を接続して、引きゴム５のもう一方を伸ばしながら軸部２のリンク６に連結したスナップ１２にはめる。こうすることで弾力性の腕部１は引きゴム５とのバランスによって弓状を形成する。【００２０】  よって、以上の構成から作用を説明する。釣方法は前項に記載した第一実施例、第二実施例と同様におこなうが、引きゴム５にすることで軽量になり、投げるとき空気抵抗も小さく遠投に達する効果も出る。また、ゴムであることから製造単価もやすく、交換用の引きゴム５も携帯もらくで、さらに交換のとき夫々のスナップ１２及び、スナップ１７にはめるだけであることで容易いである。【００２１】  なお、前記記載の糸４を釣る魚によってテグスあるいは、金属線でも可能である。
また、引きゴム５においては、様々な伸縮材の利用することもできるものである。
【図面の簡単な説明】
【００２２】
【図１】  本発明の第一実施例の側面図である。
【図２】  本発明の第一実施例の引きバネが伸びた状態の腰部側面図である。
【図３】  本発明の第二実施例の側面図である。
【図４】  本発明の第三実施例の腰部側面図である。
【符号の説明】
【００２３】  １は腕部                            ２は軸部
３は引きバネ                        ４は糸
５は引きゴム                        ６はリング
７はリング                          ８はスナップ式リング
９はヨリモドシ                    １０はヨリモドシ
１１は透明チューブ                  １２はスナップ
１３はミチ糸                        １４はハリス
１５は針                            １６は錘
１７はスナップ                      １８はチューブ止糸
【図１】
2007105021.tif 000003
【図２】
2007105021.tif 000004
【図３】
2007105021.tif 000005
【図４】
2007105021.tif 000006